(57)【特許請求の範囲】
【請求項１】
プラスチックからなる薄い一体成形の内容器と折り畳み可能な枠材の２つの構成部材からなる容器本体を有する食品用簡易容器であって、
前記内容器は、
その外側面が下方に向かって外側に傾斜した傾斜面となっており、
その外側面の下端から前記枠材の巾の半分の高さの全外周または外周の一部分に突条を設けるとともに、
その外側面の下端には外方に向けた出張りを形成してなり、
前記枠材には、その高さ方向の中央位置の全内周に溝条を設けてあり、
前記枠材を前記内容器の上方から嵌合したとき、前記溝条に前記突条が入り込み、前記枠材と前記内容器が係止固定される組立式食品用簡易容器。
【請求項２】
前記容器本体に被せる蓋材を有する請求項１に記載の食品用簡易容器。
【発明の詳細な説明】
【技術分野】
【０００１】
この発明は、寿司、パスタ、ギョウザ、惣菜などの各種加工食品を収納するための食品用簡易容器に関する。
【背景技術】
【０００２】
係る食品用簡易容器として、基本的には、プラスチック製の発泡枠材と、これに一体成形した薄い内容器を組み合わせた簡易容器が広く用いられ、また、その接合強度、シール性も改善され、さらには、引用特許文献１に開示されているように、電子レンジによる加熱にも対応できる構造とすることによって、その需要は一段と伸びている。
【０００３】
ところが、この簡易容器の基本的な欠点として、容器としての嵩容量が大きく、耐圧強度が弱く、無理な荷作りもできないために、製造場所からユーザー・サイドに搬出する際の搬送効率を著しく低いものとしている。
【０００４】
そのため、本願の出願人は、先に、下記特許文献２において、簡易容器の構成部材単位を成形底板いわゆる内容器と枠材に分離し、さらに、枠材を展開可能に折り畳むことによって、それぞれ内容器と枠材を重ね合わせて搬送し、ユーザー・サイドで、折り畳み状態の枠材を展開し、これを内容器の頂部の縁部に係止して組み立てる簡易容器を提案した。
【０００５】
これによって、簡易容器を内容器と折り畳み可能な枠材の２つの構成部材単位として、それぞれを重ね合わせても嵩張らずに搬送することができるので輸送効率を格段に向上でき、嵩張る完成簡易容器を多く準備しておく必要がなく、ユーザー・サイドでの有効利用空間を拡大することができるという効果を奏することができる。
【先行技術文献】
【特許文献】
【０００６】
【特許文献１】特許第３９２７３５６号
【特許文献２】特許第３２９９４４９号
【発明の概要】
【発明が解決しようとする課題】
【０００７】
簡易容器本体を内容器と折り畳み可能な枠材の２つの構成部材単位として搬送するに際して、重ね合わせたそれぞれの内容器の上下が噛み合って、分離しづらくなり、ユーザー・サイドでの組立てがスムーズに行われなくなるという問題がある。さらに、ユーザー・サイドでの枠材と内容器を組み立てる作業をより簡便化しなければならないという課題がある。
【０００８】
また、他の課題は、ユーザー・サイドでの収納食材の変化に対応して、簡易容器の枠材の柄模様の変更を即座に可能とし、それによりユーザー・サイドでの在庫過多や、在庫スペースが多く必要となる等の問題を解消する食品用簡易容器を提供することにある。
【課題を解決するための手段】
【０００９】
本発明は、ユーザー・サイドでの食品用簡易容器の組立てのための搬送部材が、プラスチックからなる薄い一体成形の内容器と折り畳み可能な枠材の２つの構成部材からなる容器本体を有する食品用簡易容器であって、前記内容器は、その外側面が下方に向かって外側に傾斜した傾斜面となっており、その外側面の下端から前記枠材の巾の半分の高さの全外周または外周の一部分に突条を設けるとともに、その外側面の下端には外方に向けた出張りを形成してなり、前記枠材には、その高さ方向の中央位置の全内周に溝条を設けてあり、前記枠材を前記内容器の上方から嵌合したとき、前記溝条に前記突条が入り込み、前記枠材と前記内容器が係止固定されることを特徴とする。
【００１０】
本発明に使用する枠材としては、発泡プラスチックスに限らず、３ｍｍから５ｍｍ巾程度の厚紙、再生紙、合成木材などが任意に使用できる。
【００１１】
従来の組立容器は、折り畳んだ状態から展開した枠材の上方から、内容器をはめ込んでいた。これでは、形状の安定しない枠材にはめ込むこととなるため、組み立て作業をより簡便化することが課題であった。
【００１２】
本組立容器では、上記構成において、安定した状態の前記内容器の上方から、前記枠材を嵌合するのみである。そして、枠材はその係止機構によって内容器に固定されるとともに、枠材の下端は前記内容器の外面の傾斜面の下端に設けた出張りの上に載置され安定することになる。これにより、従来より組み立て作業を簡便化することができる。
【００１３】
また、様々な柄模様の枠材を準備することにより、同じ内容器を使用しても、違う見映えの容器を提供することが可能となる。これにより、折り畳んだ枠材があれば、多種類の容器を提供できるため、ユーザー・サイドでの在庫過多や、在庫スペースが多く必要となる等の問題を解消することできる。
【発明の効果】
【００１４】
内容器に枠材を固定するに際し、接着剤は必要なく、また、融着もしないため、そのための機械も必要としない。また、ユーザー・サイドでの組み立て効率が上がり、また、その組み立ても、従来より簡単になり、コストダウンできる。さらに、食品容器に収納される加工食品の多様化に対応するためにも、枠材の柄模様を変えるだけでできるため、見映えの異なる食品用簡易容器が安価に得られる。
【図面の簡単な説明】
【００１５】
【図１】本発明の食品用簡易容器の構成部材と組立て要領を示す。
【図２】本発明の食品用簡易容器に使用する枠材の折り畳み状態を示す。
【図３】本発明の食品用簡易容器の枠材と内容器の組立て状態を断面によって示す。
【図４】内容器の搬送に際しての重ね合わせ状態を断面によって示す。
【図５】枠材と内容器を組立て後の容器本体を断面によって示す。
【図６】本発明に係る食品用簡易容器の外観を示す。
【発明を実施するための形態】
【００１６】
以下、実施例によって、本発明の実施の形態を説明する。
【実施例】
【００１７】
図１は、本発明の食品用簡易容器の構成部材を示すもので、３〜５ｍｍ厚の発泡プラスチック、紙材、木材からなる枠材１と、薄いプラスチックの一体成形材からなる内容器２、それに、枠材１と内容器２とを組み立てた容器本体に被せる蓋材３からなり、矢印で示すように、枠材１を内容器２に上方から嵌合して容器本体を形成した後、容器本体に加工食品を収納したのち、蓋材３でカバーする。
【００１８】
前記枠材１は、特許文献２にも示されているように、図２に示す帯状材１１の両端を熱融着してリング状とし、帯状材１１に形成された折り曲げ部１２と１３を利用して、１本の折り畳み可能な枠材１としたものである。これによって、製作現場から、折り畳んだ枠材１を束状にしてユーザー・サイドまで搬送する。そして、ユーザー・サイドにおいて、折り曲げ部１２と１３を展開して、図１に示す簡易容器の枠材１として使用する。１４は、後述の内容器の係止突条と嵌合する係止溝条を示す。この係止溝条１４は、枠材１の巾（高さ）方向の中央位置に枠材１の全内周面に形成されている。したがって、この枠材１は上下を逆にしても使用できるので、組立て作業に際して上下方向の確認をする必要はなく、作業能率を高めることができる。
【００１９】
２は、薄いプラスチック材を一体成形した内容器である。この内容器２の外側面には、枠材１と内容器２との組立て要領を断面によって示す図３にも示すように、下方の外方に向かって傾斜した外側面２１が形成されている。この傾斜面の形成によって、搬送に際しての重ね合わせと、組立てに当たっての枠材１の内容器２への嵌合が楽になり、作業能率を挙げることができる。
【００２０】
この内容器２の傾斜した外側面２１の上方には、蓋材３を載置し、軽く固定する蓋材載置部２２が形成されている。
そして、２３は、この傾斜した外側面２１の下端から枠材１の巾の半分の高さに、各コーナー部を除いて、全外周に形成された係止突条であって、前述の枠材１の内面に形成した係止溝条１４内に係止し、枠材１を内容器２に固定する機能を有する。さらに、２４は、この内容器２の傾斜した外側面２１の下端に、外方に向かって形成された張出し面であって、この内容器２の上方から装着する枠材１のストッパーとして機能する。なお、係止突条２３は、全外周につながったものでもよく、又、数箇所に分かれた突条でもよい。
【００２１】
このように、内容器２を枠材１と蓋材３と分離して、ユーザー・サイドに搬送する際、重ね合わせても、図４に示すように、それぞれの内容器２に形成された係止突条２３に張出し面２４が載置される状態となり、相互に噛み込むことがないので、搬送後、イン・ストアでの容器の組立てに支障をもたらすことはない。
【００２２】
図１に示す３は、薄い透明プラスチック材を一体成形した蓋材であり、組立て後の内容器の蓋材載置部２２に載置する。この蓋材３の上段傾斜面３１の縁に形成された突出部３２は、重ね合わせて搬送する際、上下位置にあるそれぞれの蓋材の噛み込みを防止するためのもので、蓋材毎にその位置をずらして形成する。
【００２３】
図３は、図２に示す折り畳み状態から展開された枠材１を内容器２の上方から嵌合する状態を示す。同図に示すように、枠材１を内容器２の上方から軽く押し込むことによって、枠材１は内容器２の傾斜した外側面２１に沿って滑り込み、枠材１の内周に形成された係止溝条１４には、内容器２の外周面に形成された係止突条２３が入り込み、図５に示すように、枠材１と内容器２が係止固定される。そして、枠材１の下端は、内容器２の張出し面２４上に位置し、枠材１の係止による固定を安定する。
【００２４】
図６は、組み立てられた枠材１と内容器２によって組み立てられた容器本体に蓋材３が載置保持された外観を示す。
【符号の説明】
【００２５】
１０  食品用簡易容器
１  枠材
１１  帯状材    １２、１３  折り曲げ部    １４  係止溝条
２  内容器
２１  外側面    ２２  蓋材載置部    ２３  係止突条    ２４  張出し面
３  蓋材
３１  上段傾斜面    ３２  突出部
【図１】
0005517286.tif 000002
【図２】
0005517286.tif 000003
【図３】
0005517286.tif 000004
【図４】
0005517286.tif 000005
【図５】
0005517286.tif 000006
【図６】
0005517286.tif 000007